(57)【特許請求の範囲】
【請求項１】
親水性の表面シート、防水透湿フィルムを含む裏面シート及びこれら両シート間に配された吸収体を備えた吸収性物品であって、
前記吸収体の吸収性物品長手方向の延長上に位置するウエスト部分に、前記表面シートと前記防水透湿フィルムとが一体化し且つ該表面シートが防水化したエンボス部を有しており、該エンボス部に、前記表面シート及び前記防水透湿フィルムを貫通する貫通孔が形成されており、
前記防水透湿フィルムにおける前記表面シート側とは反対側に、親水性の外装不織布が積層されており、前記エンボス部は、前記表面シートと前記防水透湿フィルムとの間のみを接合し、前記貫通孔は、該外装不織布を貫通していない、吸収性物品。
【請求項２】
前記エンボス部が、吸収性物品の長手方向に延びるエンボス部列を形成するように複数形成されている、請求項１記載の吸収性物品。
【請求項３】
前記エンボス部列が、吸収性物品の幅方向に間隔を開けて複数本形成されている、請求項２記載の吸収性物品。
【請求項４】
隣り合うエンボス部列間に、親水性の表面シートと防水透湿フィルムとの間が接合されていない領域を有する、請求項２又は３に記載の吸収性物品。
【発明の詳細な説明】
【技術分野】
【０００１】
本発明は、汗の蒸散性に優れた吸収性物品に関する。
【背景技術】
【０００２】
おむつ内の湿度の軽減等の観点から、使い捨ておむつの所定の部位に、おむつを厚み方向に貫通する通気孔を設けることが行われている。
例えば、特許文献１には、透水性不織布、不透水性フィルム及び透水性不織布の積層体からなる使い捨てパンツ型着用物品に、該積層体を貫通する通気孔を設けることが記載されている。
また、特許文献２には、前ウエスト域及び後ウエスト域を構成するベルト部材と、前後のウエスト域間に位置する股下域を構成する吸液構造体とを含む吸収性物品における前記ベルト部材に複数の通気孔を形成することが記載されている。
【０００３】
特許文献３には、通気孔や貫通孔を設けることは記載されていないが、おむつの防水性バックシートの外面に、親水性及び通気性を有する外装シートを設けることが記載されている。
【先行技術文献】
【特許文献】
【０００４】
【特許文献１】特開平１０−５７４１０号公報
【特許文献２】特開２００９−６１１２７号公報
【特許文献３】特開平３−２３１６６０号公報
【発明の概要】
【発明が解決しようとする課題】
【０００５】
特許文献１における通気孔は、吸収体の両側縁に沿って設けられた左右のバリヤーフラップの更に外側に形成されており、該吸収体の長手方向の延長上に形成されていない。そのため、汗の蒸散性の向上効果が不充分である。
特許文献２における通気孔は、ベルト部材に移動した尿が、その通気孔を介して外部に滲み出す虞がある。
特許文献３の技術は、汗の蒸散性を向上させるものではない。
【０００６】
従って、本発明は、液の滲み出しを防止できると共に汗の蒸散性に優れた吸収性物品に関する。
【課題を解決するための手段】
【０００７】
本発明は、親水性の表面シート、防水透湿フィルムを含む裏面シート及びこれら両シート間に配された吸収体を備えた吸収性物品であって、前記吸収体の吸収性物品長手方向の延長上に位置するウエスト部分に、前記表面シートと前記防水透湿フィルムとが一体化し且つ該表面シートが防水化したエンボス部を有しており、該エンボス部に、前記表面シート及び前記防水透湿フィルムを貫通する貫通孔が形成されている、吸収性物品を提供するものである。
【発明の効果】
【０００８】
本発明の吸収性物品は、液の滲み出しを防止できると共に汗の蒸散性に優れている。
【図面の簡単な説明】
【０００９】
【図１】本発明の第１実施形態の使い捨ておむつを示す平面図である。
【図２】図１のＩＩ−ＩＩ線断面図である。
【図３】エンボス部及び貫通孔の好ましい寸法や配置を示す拡大平面図である。
【図４】図１の使い捨ておむつの作用効果の説明図である。
【図５】本発明の第２実施形態の使い捨ておむつを示す図（図２相当図）である。
【図６】第２実施形態の使い捨ておむつの作用効果の説明図である。
【発明を実施するための形態】
【００１０】
以下本発明を、その好ましい実施形態に基づき図面を参照しながら説明する。
本発明の吸収性物品の第１実施形態である使い捨ておむつ１（以下、単におむつ１ともいう）は、図２に示すように、親水性で液透過性の表面シート２、防水透湿フィルム３１を含む裏面シート３及びこれら両シート２，３間に配された吸収体４を備えている。
おむつ１は、図１に示すように、その長手方向に、着用時に着用者の背中側に配される背側部Ａ、着用者の腹側に配される腹側部Ｂ及び股間部に配される股下部Ｃを有している。おむつ１は、いわゆる展開型のおむつであり、背側部Ａの両側縁部に設けられたファスニングテープ５，５を、腹側部Ｂの外面に設けられたランディングテープ６に止着することにより、身体に装着する。
おむつ（吸収性物品）の長手方向とは、着用時に、着用者の前後方向と一致する方向であり、図中Ｘ方向である。おむつ（吸収性物品）の幅方向は、おむつ（吸収性物品）の長手方向に直交する方向であり、図中Ｙ方向である。
【００１１】
おむつ１の長手方向の両側部には、撥水性不織布からなるサイドシート７が、表面シート２の両側部を覆うように配されている。サイドシート７のおむつ幅方向中央側の側縁の近傍には、弾性部材７１が伸長状態で固定されており、該弾性部材７１の収縮により、股下部Ｃの左右一対のサイド立体ギャザーが形成される。
【００１２】
表面シート２は、平面視矩形状をなし、おむつ１の長手方向の全長に亘って配されている。表面シート２の長手方向の両側縁２１，２１は、おむつ１の幅方向において、吸収体４の側縁よりやや外方に位置している。
裏面シート３は、おむつ１の外形と略同形の外形を有している。裏面シート３は、矩形状の防水透湿フィルム３１と、おむつ１の外形と略同形の外装不織布３２との積層体からなる。防水透湿フィルム３１と外装不織布３２との間は、両者が積層されている部分の略全域に亘って接着剤で接合されている。この接着剤の塗工パターンは、ベタ塗り等の全面塗工でも良いし、スパイラル、ドット、ストライプ、千鳥格子等のパターン塗工でも良いが、パターン塗工が好ましい。防水透湿フィルム３１は、おむつ１の長手方向の全長に亘って配されている。防水透湿フィルム３１の長手方向の両側縁３１ａ，３１ａは、おむつ１の幅方向において、吸収体４の側縁より外方に位置している。
【００１３】
股下部Ｃにおけるサイドシート７は、表面シート２の側縁２１の近傍に、サイド立体ギャザーの起立基端（固定端）となる、表面シート２との接合部（図示略）を有している。また、サイドシート７は、おむつ１の長手方向両端部において、その幅方向の略全域が、表面シート２又は該表面シート２から延出した裏面シート３上に接着剤（ホットメルト型接着剤等）により接合されている。
【００１４】
おむつ１は、吸収体４のおむつ長手方向の延長上に位置するウエスト部分ＷＡ，ＷＢに、図２及び図３に示すような、エンボス部８を有している。
エンボス部８は、少なくとも親水性の表面シート２と防水透湿フィルム３１とを重ねた状態で、それらにエンボス加工を施して形成されたものであり、該エンボス加工によって、表面シート２と防水透湿フィルム３１とが接合一体化されている。また、エンボス部８の中央部には、少なくとも親水性の表面シート２及び防水透湿フィルム３１を貫通する貫通孔８１が形成されている。
本実施形態におけるエンボス部８は、図３に示すように、表面シート２及び防水透湿フィルム３１に加えて外装不織布３２も重ねた状態で、それらにエンボス加工を施して形成されたものであり、該エンボス加工によって、表面シート２及び防水透湿フィルム３１に加えて外装不織布３２も一体化されている。また、貫通孔８１は、表面シート２、防水透湿フィルム３１及び外装不織布３２を貫通し、おむつ１の肌当接面側と非肌当接面側とを連通している。
【００１５】
また、エンボス部８においては、エンボス加工によって、表面シート２が防水化している。即ち、おむつ１に用いる表面シート２は、親水性の不織布からなり、例えば、吸収体４上に位置する部分においては液が該不織布内に染み込み、該液を吸収体４に向かって良好に透過させるが、エンボス部８においては、エンボス加工の際に加熱及び加圧されることによって、繊維の構成成分が溶融固化して防水化している。
【００１６】
エンボス部８においては、表面シート２における貫通孔８１以外の部分が防水化している。表面シート２の防水化した部分は、表面シート中に染み込み該表面シート中を移動してきた汗が、貫通孔８１に向かって更に移動することを阻止する。それにより、汗が液体のまま貫通孔８１を介して外部に流出することが防止される。また、吸収体４上に排泄された尿は、吸収体４の端部の位置を越えてウエスト部分ＷＡ，ＷＢまで拡散することは少ないが、何らかの理由により、表面シート中を拡散した尿が、ウエスト部分ＷＡ，ＷＢに設けたエンボス部８に達した場合においても、前述した防水化した部分の存在により、その尿が貫通孔８１を介して外部に流出することが防止される。なお、エンボス部８においては、表面シート２の構成繊維が溶融固化してフィルム化していることも好ましい。
【００１７】
防水化の手段としては、ａ）表面シートを構成する不織布の繊維を熱溶融させて、該不織布の繊維間を狭めるか、あるいは該不織布の繊維間を無くしてフィルム化させる方法、及びｂ）貫通孔の周囲が親水化していない表面シートを用いる方法等が挙げられる。貫通孔周辺の非親水化部分は、不織布の製造後の撥水状態のままの部分であっても良いし、一旦親水化させた不織布の貫通孔周辺を再び撥水化処理したものであっても良い。
【００１８】
表面シート２の一部を防水化（撥水化）する観点から、エンボス加工は、熱エンボス又は超音波エンボスであることが好ましい。また、エンボス部８は、表面シート２の肌当接面側が凹んでいることが好ましい。貫通孔８１は、エンボス部８の形成と同時に形成したものでも、該エンボス部８の形成後に形成したものでも良い。エンボス部８の形成と同時に形成する方法としては、例えば、扁平円柱状の台座部と該台座部上に設けた小突起とを備えたエンボスロール及び受けロールを用い、台座部で、表面シート２及び防水透湿フィルム３１を加熱及び加圧すると同時に、小突起でそれらに孔を開ける方法等を用いることができる。エンボス部８の形成後に形成する方法としては、エンボス部８の形成後のシートを延伸して該エンボス部８の中央部に裂け目を形成する方法や、エンボス部８の形成後に該エンボス部８に針や突起を突き刺したりやエンボス部の中央部を打ち抜く方法等を用いることができる。
【００１９】
表面シート２に用いる不織布は、熱可塑性樹脂を成分に含む合成繊維を主体として構成されていることが好ましい。そのような合成繊維としては、ポリエチレン、ポリプロピレン等のポリオレフィン、ポリエチレンテレフタレート等のポリエステル、ナイロン（登録商標）等のポリアミド等からなる繊維や、これらの２種以上の樹脂成分を含む複合繊維等が挙げられる。複合繊維としては、融点の高い樹脂を芯とし且つ融点の低い樹脂を鞘とした芯鞘型複合繊維や、サイド−バイ−サイド型複合繊維等も好ましく用いられる。
【００２０】
表面シート２に用いる不織布は、その構成繊維中、熱可塑性樹脂を成分に含む合成繊維の割合が、５０〜１００質量％であることが好ましく、より好ましくは８０〜１００質量％、更に好ましくは９５〜１００質量％である。熱可塑性樹脂を成分に含む合成繊維以外の繊維を併用する場合の該繊維としては、レーヨン及びキュプラ等の再生セルロース繊維、コットン等の天然繊維が挙げられる。
また、表面シート２に用いる不織布は、単層構造であっても良いし、２層構造のもの等、多層構造のものであっても良い。多層構造の不織布は、前述した合成繊維の割合が、最も肌当接面側に位置する層中において上記の範囲内であることも好ましい。が、これらに限定されるものではない。
【００２１】
また、表面シート２に用いる不織布は、各種公知の方法で製造されたものを用いることができる。例えば、カード法又はエアレイ法により製造した繊維ウエブに熱風処理を施し繊維の交点を熱融着させて得られるエアスルー不織布や、同様にして得られた繊維ウエブにエンボス加工により小エンボス部をドット状に形成して不織布化した不織布、スパンボンド法、メルトブロー法、ニードルパンチ法、スパンレース法等により製造された不織布等を用いることもできる。
図３には、表面シート２として、カード法又はエアレイ法により製造した繊維ウエブにエンボス加工により小エンボス部２２をドット状に形成して不織布化した不織布を用いた例を示した。図３に示すように、エンボス部８間に、肌当接面側が凹状をなす小エンボス部２２を有することによって、肌との間に微小空間が形成され、発汗時のドライ感が向上する。
【００２２】
また、親水性の不織布は、繊維の段階若しくはウエブ又は不織布の状態で親水化剤で処理（例えば、スプレー、浸積等による塗工等）したものの他、繊維原料に親水化剤を練り込んでおき、紡糸後にブリードアウトさせたもの等を用いることもできる。
親水化剤としては、当該技術分野において用いられているものと同様のものを用いることができる。そのような親水化剤としては、各種の界面活性剤が典型的なものとして挙げられる。
界面活性剤としては、アニオン性、カチオン性、両性イオン性及びノニオン性の界面活性剤等を用いることができる。
【００２３】
アニオン性の界面活性剤の例としては、アルキルホスフェートナトリウム塩、アルキルエーテルホスフェートナトリウム塩、ジアルキルホスフェートナトリウム塩、ジアルキルスルホサクシネートナトリウム塩、アルキルベンゼンスルホネートナトリウム塩、アルキルスルホネートナトリウム塩、アルキルサルフェートナトリウム塩、セカンダリーアルキルサルフェートナトリウム塩等が挙げられる（いずれのアルキルも炭素数６〜２２、特に８〜２２が好ましい）。これらは、ナトリウム塩に代えてカリウム塩等の他のアルカリ金属塩を用いることもできる。
カチオン性の界面活性剤の例としては、アルキル（又はアルケニル）トリメチルアンモニウムハライド、ジアルキル（又はアルケニル）ジメチルアンモニウムハライド、アルキル（又はアルケニル）ピリジニウムハライド等が挙げられ、これらの化合物は、炭素数６〜１８のアルキル基又はアルケニル基を有するものが好ましい。上記ハライド化合物におけるハロゲンとしては、塩素、臭素等が挙げられる。
【００２４】
両性イオン性の界面活性剤の例としては、アルキル（炭素数１〜３０）ジメチルベタイン、アルキル（炭素数１〜３０）アミドアルキル（炭素数１〜４）ジメチルベタイン、アルキル（炭素数１〜３０）ジヒドロキシアルキル（炭素数１〜３０）ベタイン、スルフォベタイン型両性界面活性剤等のベタイン型両性イオン性界面活性剤や、アラニン型［アルキル（炭素数１〜３０）アミノプロピオン酸型、アルキル（炭素数１〜３０）イミノジプロピオン酸型等］両性界面活性剤、グリシン型［アルキル（炭素数１〜３０）アミノ酢酸型等］両性界面活性剤などのアミノ酸型両性界面活性剤、アルキル（炭素数１〜３０）タウリン型などのアミノスルホン酸型両性界面活性剤が挙げられる。
【００２５】
ノニオン性の界面活性剤の例としては、グリセリン脂肪酸エステル、ポリ（好ましくはｎ＝２〜１０）グリセリン脂肪酸エステル、ソルビタン脂肪酸エステル等の多価アルコール脂肪酸エステル（いずれも好ましくは脂肪酸の炭素数８〜２２）、前記多価アルコール脂肪酸エステルのアルキレンオキシド付加物（好ましくは付加モル数２〜２０モル）、ポリオキシアルキレン（付加モル数２〜２０）アルキル（炭素数８〜２２）アミド、ポリオキシアルキレン（付加モル数２〜２０）アルキル（炭素数８〜２２）エーテル、ポリオキシアルキレン変性シリコーン、アミノ変性シリコーン等が挙げられる。
【００２６】
防水透湿フィルム３１としては、各種公知の透湿性且つ防水性のフィルムを用いることができる。例えば、ポリエチレンやポリプロピレン等のオレフィン樹脂中に無機充填剤を溶融混練してシートを成形した後、該シートを一軸または二軸方向に延伸することにより得られる微多孔性シートが挙げられる。
【００２７】
また、外装不織布３２としては、各種公知の方法で製造された不織布を用いることができる。例えば、カード機又はエアレイ法により製造した繊維ウエブに熱風処理し繊維の交点を熱融着させて得られるエアスルー不織布や、スパンボンド法、メルトブロー法、ニードルパンチ法、スパンレース法等により製造された不織布等を用いることもできる。外装不織布３２は、親水性でも撥水性でも良い。
【００２８】
おむつ１における、吸収体４、ファスニングテープ５、ランディングテープ６、サイドシート７、弾性部材７１としては、それぞれ、この種の物品に従来使用されているものを特に制限なく使用することができる。例えば、吸収体４としては、粉砕パルプ等の繊維材料からなる繊維集合体又はこれに高吸水性ポリマーの粒子等を保持してなる吸収性コアを、ティッシュペーパや透水性の不織布等からなるコアラップシートで被覆してなるもの等を用いることができる。
【００２９】
本実施形態のおむつ１は、通常の展開型おむつと同様にして使用することができる。
本実施形態のおむつ１によれば、前記ウエスト部分ＷＡ，ＷＢに、前述した貫通孔８１を有するエンボス部８を有するため、該貫通孔８１を介して、おむつ１の内外の通気が促進される。他方、エンボス部８は、貫通孔８１の周囲に、表面シートが撥水化した部分を有するため、表面シート２上や表面シート２中を拡散した液が、該エンボス部８や貫通孔８１から外部に滲みだして漏れ出すことが防止される。
これにより、おむつ１は、液の滲み出しを防止できると共に汗の蒸散性に優れている。
【００３０】
また、おむつ１におけるエンボス部８は、図１又は図３に示すように、おむつの長手方向（Ｙ方向）に延びるエンボス部列８０を形成するように複数形成されている。  ウエスト部分ＷＡ，ＷＢに、このようなエンボス部列８０を有することにより、おむつ１が、エンボス部列８０を支点に幅方向に折れ曲がり易くなるため、おむつ１を装着した際に、エンボス部列８０と着用者の肌Ｓとの間に通気路Ｄが形成され易い。更に、通気路Ｄに沿って、貫通孔８１が配列されているため、通気が一層促進され、尿や汗などによるムレが一層軽減される。
エンボス部列８０は、図３に示すように、おむつ１の幅方向（Ｘ方向）に間隔を開けて複数本形成されていることが、通気の一層の促進や、尿や汗などによるムレの一層の軽減等の観点から好ましい。
【００３１】
通気路Ｄの形成性やエンボス部列８０に沿う折れ曲がり易さの向上の点から、エンボス部列８０内のエンボス部８のピッチＰ１は、おむつ１の幅方向（Ｘ方向）におけるエンボス部列８０のピッチＰ２（図３参照）よりも短いことが好ましく、両ピッチの比（Ｐ１／Ｐ２）は、０．１〜０．８、特に０．２〜０．６であることが好ましい。
また、同様の観点から、貫通孔８１は、おむつ１の長手方向に長い形状であることが好ましく、おむつ長手方向（Ｘ方向）の寸法Ｌ１の、おむつ幅方向（Ｙ方向）の寸法Ｌ２に対する比（Ｌ１／Ｌ２）は、１．１〜４０、特に２〜１０であることが好ましい。
また、エンボス部８のおむつ長手方向（Ｘ方向）の寸法Ｌ３は、貫通孔８１の同方向の寸法Ｌ１に対する比（Ｌ３／Ｌ１）が、１．２〜１０、特に１．５〜５であることが好ましく、エンボス部８のおむつ幅方向（Ｙ方向）の寸法Ｌ４は、貫通孔８１の同方向の寸法Ｌ２に対する比（Ｌ４／Ｌ２）が、１．２〜２０、特に５〜１０であることが好ましい。
また、貫通孔８１の面積も含めたエンボス部８の面積に対する貫通孔８１の面積の割合は、０．１〜５０％、特に０．５〜１０％であることが好ましい。また、個々の貫通孔８１の開口面積ないし断面積は、汗の蒸散性の向上と尿の滲み出し防止を両立するという観点から、０．０５〜５ｍｍ2、特に０．０８〜２ｍｍ2であることが好ましい。
なお、一本のエンボス部列８０を構成するエンボス部の個数は、例えば、２〜２０個とすることができ、３〜１０個、特に５〜８個であることが好ましい。
【００３２】
また、おむつ１におけるウエスト部分ＷＡ，ＷＢは、図４に示すように、隣り合うエンボス部列８０，８０間に、親水性の表面シート２と防水透湿フィルム３１との間が接合されていない領域Ｅを有している。また、各エンボス部列８０においても、Ｘ方向に隣り合うエンボス部８，８間に、親水性の表面シート２と防水透湿フィルム３１との間が接合されていない領域を有している。
エンボス部列間やエンボス部間が接合されていないことにより、エンボス部列とそれ以外の部分、あるいはエンボス部８とそれ以外の部分との間の厚み差が大きくなり、エンボス部列やエンボス部と着用者の肌Ｓとの間に隙間が生じやすくなり、通気路Ｄをより確実に生じさせることができる。
【００３３】
次に、本発明の第２実施形態の使い捨ておむつ１’について図５を参照して説明する。第２実施形態のおむつ１’については、主として第１実施形態のおむつ１と異なる点について説明し、同様の点については同様の符号を付して説明を省略する。第２実施形態について特に説明しない点は、第１実施形態と同様である。
【００３４】
第２実施形態のおむつ１’においても、ウエスト部分ＷＡ，ＷＢに、図１及び図３に示す配置と同様の配置でエンボス部８’が形成されている。
おむつ１’におけるエンボス部８’は、親水性の表面シート２及び防水透湿フィルム３１のみを重ねた状態でそれらにエンボス加工を施して形成されており、エンボス部８’においては、親水性の表面シート２及び防水透湿フィルム３１のみが、エンボス加工により一体化されている。他方、外装不織布３２は、防水透湿フィルム３１における表面シート２側とは反対側にエンボス加工以外の方法によって一体化されている。具体的には、防水透湿フィルム３１と外装不織布３２との間は、接着剤（ホットメルト型接着剤等）によって接合されている。この接着剤の塗工パターンは、全面塗工でもパターン塗工でも良いが、パターン塗工が好ましい。
【００３５】
おむつ１’における外装不織布３２としては、親水性の不織布を用いる。この親水性の不織布としては、第１実施形態のおむつ１の表面シートに用いる不織布として上述したもの等を用いることができる。
【００３６】
また、おむつ１’においては、吸収体４の長手方向の両端４２それぞれをＸ方向に跨ぐように２枚のバリアシート９（背側部側のもののみ図示）が配されている。バリアシート９は、液不透過性又は液難透過性であり、樹脂フィルムや撥水性不織布からなる。
【００３７】
第２実施形態のおむつ１’においては、エンボス部８’の中央部に孔８１’が開いており、また、外装不織布３２が親水性であることによって、多量に発汗し、エンボス部分に汗が溜まってしまった場合にも、エンボス部中央の孔８１’を通して外装不織布３２に移行することによって溜まった汗を肌側から遠ざけることができる。エンボス部の中央部の孔８１’付近に外装不織布３２の繊維が存在することにより、外装不織布３２への汗の拡散が促進される。また、図６に示すように、外装不織布３２内を汗が拡散して、外装不織布３２から汗が効率良く蒸散される。
【００３８】
おむつ１’における外装不織布３２は汗の蒸散性の向上させる観点から、液の拡散性が高い不織布を用いることが好ましい。
【００３９】
以上、本発明の幾つかの実施形態について説明したが、本発明は上記の各実施形態に制限されず、種々の変更が可能である。
例えば、エンボス部８，８’及び貫通孔８１，８１’の平面視形状は、それぞれ、円形に限られず、楕円形、長円形、縦長長方形、正方形、菱形、三角形等、他の形状とすることもできる。エンボス部８，８’と貫通孔８１，８１’の形状は異なる形状であっても良い。
【００４０】
また、エンボス部８，８’は、背側部Ａ側のウエスト部分ＷＡ及び腹側部Ｂ側のウエスト部分ＷＢの何れか一方のみに形成されていても良い。また、貫通孔８１を有するエンボス部８又は貫通孔８１’を有するエンボス部８’に加えて、貫通孔８１，８１’が形成されていないエンボス部とが混在していても良い。
【００４１】
また、第１実施形態のおむつ１の外装不織布３２に代えて、貫通孔８１と対応する位置に孔を有するが、表面シート２及び防水透湿フィルム３１とは一体的にエンボス加工が施されていない外装不織布３２を設けることもできる。また、第１実施形態のおむつ１における外装不織布３２をなくした構成とすることもできる。
【００４２】
また、第２実施形態のバリヤシート９を、第１実施形態のおむつ１に設けても良い。また、第２実施形態のおむつ１’からバリヤシート９をなくした構成とすることもできる。また、バリヤシート９は、図５に示すように、Ｘ方向の一端が表面シート２に接合され、Ｘ方向の他端が表面シート２に接合されていないものに代えて、Ｘ方向の全域において表面シート２上に接合されているものを用いることもできる。また、バリヤシート９を、表面シート２に隣接させ、該表面シートの非肌当接面側に配することもできる。
【００４３】
また、本発明の吸収性物品は、展開型の使い捨ておむつの他、パンツ型の使い捨ておむつやショーツ型の生理用ナプキン、失禁パッド等に適用することも容易である。
【００４４】
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００４５】
１，１’  使い捨ておむつ（吸収性物品）
２  表面シート
３  裏面シート
３１  防水透湿フィルム
３２  外装不織布
４  吸収体
５  ファスニングテープ
６  ランディングテープ
７  サイドシート
８，８’  エンボス部
８１，８１’  貫通孔
【図１】
0005547992.tif 000002
【図２】
0005547992.tif 000003
【図３】
0005547992.tif 000004
【図４】
0005547992.tif 000005
【図５】
0005547992.tif 000006
【図６】
0005547992.tif 000007